(57)【要約】【課題】ユーザが操作キーを長押しした場合、時間の経過に応じてガイド画像を変化させるものであり、ユーザはカーソルがスキップするまでの時間がどの程度かを知ることができる。【解決手段】本発明の画像表示装置１は、ユーザ入力に基づき複数の選択対象の中から一を選択する画像表示装置において、ユーザ入力が長押しであると判定した後、時間の経過に応じて表示態様が変化するガイド画像を生成する制御部１１と、ガイド画像を表示する表示部１５と、を備える。【選択図】図４
2012108567.tif 000002
【特許請求の範囲】
【請求項１】
ユーザ入力に基づき複数の選択対象の中から一を選択する画像表示装置において、
前記ユーザ入力が長押しであると判定した後、時間の経過に応じて表示態様が変化するガイド画像を生成する制御部と、
前記ガイド画像を表示する表示部と、
を備える画像表示装置。
【請求項２】
前記制御部は、
前記ユーザ入力が長押しであると判定した後、前記ユーザ入力がないと判定した場合、前記ユーザ入力がないと判定した時点における前記ガイド画像の表示態様と、前記ユーザ入力がないと判定した後時間が経過した前記ガイド画像の表示態様と、が異なるガイド画像を生成する
ことを特徴とする請求項１記載の画像表示装置。
【請求項３】
前記制御部は、
前記ユーザ入力が長押しであると判定した後、前記ユーザ入力がないと判定した場合、前記ガイド画像を消滅させる
ことを特徴とする請求項２記載の画像表示装置。
【請求項４】
前記制御部は、前記表示部と別体である請求項１、２又は３記載の画像表示装置。
【請求項５】
ユーザ入力に基づき複数の選択対象の中から一を選択する画像表示方法において、
前記ユーザ入力が長押しであると判定した後、時間の経過に応じて表示態様が変化するガイド画像を生成するステップと、
前記ガイド画像を表示するステップと、
を備える画像表示方法。
【請求項６】
前記ユーザ入力が長押しであると判定した後、前記ユーザ入力がないと判定した場合、前記ユーザ入力がないと判定した時点における前記ガイド画像の表示態様と、前記ユーザ入力がないと判定した後時間が経過した前記ガイド画像の表示態様と、が異なるガイド画像を生成するステップ
を含むことを特徴とする請求項５記載の画像表示方法。
【請求項７】
前記ユーザ入力が長押しであると判定した後、前記ユーザ入力がないと判定した場合、前記ガイド画像を消滅させるステップ
を含むことを特徴とする請求項６記載の画像表示方法。
【発明の詳細な説明】
【技術分野】
【０００１】
画面内に表示された複数の選択対象から所望の対象を選択するための画像表示装置、画像表示方法に関する。
【背景技術】
【０００２】
画面内に表示された複数の選択対象（メニューアイコンやサムネイル画像等）を選択する場合、パーソナルコンピュータのようにはマウス操作ができない家電製品等においては、例えばリモコンの上下左右キーを用いてカーソル移動を行い選択する方法が一般的である（例えば、特許文献１）。しかし、画面内に表示される選択対象の数が多くなってくると、従来のようなカーソル操作による選択方法はユーザにとっては非常に面倒なものとなる
上記課題を解決する手段として、キーを押し続けた場合にカーソルが加速しながら順次サムネイル画像をたどっていき、カーソルが各ページの最終のサムネイル画像まで移動している状態でさらにキーを押すことによって次ページを表示し、さらにキーを押し続けた場合にカーソルはサムネイル画像をたどっていくのを止めて次のページを表示することを特徴とする画像記録装置が知られている（特許文献２）。
【特許文献１】特開２００１−２３１０１４号公報
【特許文献２】特開２００３−３２４６７１号公報
【発明の開示】
【発明が解決しようとする課題】
【０００３】
ところが、画面内に表示された複数の選択対象（メニューアイコンやサムネイル画像等）を選択する場合において、カーソルが任意の選択対象を選択している状態で、ユーザが操作キーを押下し続けると始めのうちはカーソルは選択対象を順次たどっていくが、ある所定時間以上押下し続けると、カーソルはメニューアイコンを順次たどっていくのを止めてある一定間隔スキップ（予め設定された量だけカーソルが移動）する）場合、スキップまでに必要な操作キーの押下時間を、ユーザは、直感的に判断できない。
【０００４】
また、操作キーを押下し続けることによって順次選択対象をたどっていきたいユーザにとってはスキップするまでに操作キーを放したいが、ユーザはそのタイミングを知ることができず、使い勝手が悪い。
【課題を解決するための手段】
【０００５】
上記の課題を解決するために、本発明の画像表示装置は、ユーザ入力に基づき複数の選択対象の中から一を選択する画像表示装置において、前記ユーザ入力が長押しであると判定した後、時間の経過に応じて表示態様が変化するガイド画像を生成する制御部と、前記ガイド画像を表示する表示部と、を備える。
【発明の効果】
【０００６】
本発明の画像表示装置は、ユーザ入力が長押しであると判定した場合、時間の経過に応じてガイド画像を変化させるものであり、ユーザはカーソルがスキップするまでの時間がどの程度か、を知ることができる。
また、カーソルをスキップさせたくないユーザは、カーソルがスキップするまでに操作キーを放すタイミングを知ることができ、ユーザは意図する操作を行うことができるようになる。
【発明を実施するための最良の形態】
【０００７】
本発明の画像表示装置の実施の形態について、以下に図面を参照して説明する。なお、実施の形態において同じ符号を付した構成要素が同様の動作を行う場合には、再度の説明を省略する場合がある。
【０００８】
（実施の形態１）
本発明の画像表示装置の構成の一例を図１に示す。
図１において、本発明の画像表示装置１は、制御部１１、受信部１２、ガイド画像生成部１３、カウンタ１４及び表示部１５を具備する。リモコン２は、キー操作部２１及び送信部２２を具備する。
キー操作部２１は、上下左右キー等の操作キーを具備し、ユーザが操作キーを押下するとキー操作部２１からキー状態情報が送信部２２に送られ、送信部２２は当該キー状態情報を画像表示装置１に送信する。
図２に、ユーザがキー操作部２１を操作した場合の操作キーのキー状態を示す。
操作キーは、ユーザが操作キーを操作していない状態（キー状態Ａ）から、操作キーを押下し始め（キー状態Ｂ）、操作キーを押下し切った状態（キー状態Ｃ）へとキー状態が変化し、ユーザが操作キーの押下を開放するとキー状態Ｄを経て、キー状態Ａに戻る。
キー操作部２１は、（キー状態Ａ）及び（キー状態Ｃ）、）の状態（キー状態情報）を送信部２２に送る。
画像表示装置１において、受信部１２は、送信部２２からキー状態情報を受信すると、受信したキー状態情報を制御部１１へ渡す。
制御部１１は、（キー状態Ｃ）を受信すると、カウンタ１４を初期化し、当該キー状態Ｃの継続時間（つまり、ユーザが操作キーを押下し続けている時間）をカウンタ１４で計測する。
制御部１１は、受信したキー状態情報及びカウンタ１４での計測結果に基づき、カーソルの移動制御、ガイド画像生成部１３へのガイド画像生成指示、生成されたガイド画像の制御を行い、当該カーソル及びガイド画像を表示部１５に表示させる。
【０００９】
次に図３及び図４を用いて、本発明の画像表示装置１が行う処理、カーソル表示及びガイド画像表示について説明する。
【００１０】
図３は、本発明の画像表示装置１が行う処理の一例を示すフローチャートである。
【００１１】
図４は、表示部１５に表示されるカーソル表示及びガイド画面表示の一例である。
説明を容易にするために、表示部１５上の１画面にメニューアイコンが５つずつ縦一列に表示され、ユーザのキー操作（ここでは、リモコン２の上下左右キーの下操作キーを押下）により、カーソルによるメニューアイコン選択が下に移動する場合について説明する。
ユーザがリモコン２の操作キーを操作すると、メニューアイコンの一覧（メニュー１〜メニュー５）が表示され、カーソルはメニュー１にセットされる（図４（ａ））。
【００１２】
制御部１１は、キー状態Ｃを検出したことにより、カーソル表示を１つ下に移動させる（ステップＳ４）。表示部１５上では、カーソルは図４（ｂ）に示すように、メニュー２にセットされる。
【００１３】
制御部１１は、カーソル表示を１つ下に移動させた後（ステップＳ４）、ユーザが下操作キーを押下し続けているか否かを判定する（ステップＳ５）。ユーザが下操作キーを放したと判定すると（Ｙ）、ステップＳ１に戻り、再びキー状態Ｃの検出を行う。
【００１４】
ユーザが下操作キーを押下し続けていると判定すると（Ｎ）、カウンタ１４の操作キー継続押下時のカーソル移動回数ＮにＮ＋１をセットし（ステップＳ６）、その後、操作キー継続押下時のカーソル移動回数Ｎが２以上であるか否かの判定を行う（ステップＳ７）。操作キー継続押下時のカーソル移動回数Ｎが２未満の場合、ステップＳ４に戻り、同じステップを繰り返す。
一方、制御部１１は、操作キー継続押下時のカーソル移動回数Ｎが２以上になると、ユーザが下操作キーを長押ししていると判定し、ガイド画像生成部１３にガイド画像生成指示を行い、ガイドゲージを表示部１５に表示させる（ステップＳ８）。つまり、所定時間（ここでは、最初にキー状態を検出してからメニュー３にセットされるまでの時間）を超えてもなおユーザが下操作キーを押下し続けると、制御部１１はユーザが操作キーを長押ししていると判定し、ガイドゲージを表示部１５に表示させる（ステップＳ８）。表示部１５上では、図４（ｃ）に示すように、カーソルはメニュー３にセットされ、ガイドゲージが表示される。
続いて、制御部１１は、カウンタ１４のガイドゲージ数ＭにＭ＋１をセットし（ステップＳ９）、ガイドゲージ数Ｍが４以上であるか否かの判定を行う（ステップＳ１０）。ガイドゲージ数Ｍが４未満の場合（Ｎ）、ステップ４に戻り、同じステップを繰り返す。
ステップＳ４からステップＳ９のステップを繰り返す毎に、制御部１１は、カーソル表示を１つずつ下に移動させ、ガイドゲージのゲージを１つずつ増加させる。表示部１５上では、図４（ｄ）、（ｅ）、（ｆ）のように表示される。
一方、ガイドゲージ数Ｍが４以上になると（Ｙ）、制御部１１は、カーソル表示を１つずつ下に移動させるのを止め、カーソル表示を予め設定された数（ここでは、５つ）スキップさせ（ステップＳ１１）、ユーザが下操作キーを放したと判定されるまで（ステップＳ１２）、カーソルスキップを繰り返す。表示部１５上では、図４（ｆ）に示すようにカーソルがメニューアイコン６を選択し、ガイドゲージのゲージが満杯になった状態から、図４（ｇ）に示すようにカーソルはメニュー１１にセットされ（メニューアイコンを５つスキップ）、さらにユーザが下操作キーを押下し続けると、図４（ｈ）に示すようにカーソルはメニュー１６にセットされ（メニューアイコンを５つスキップ）、ユーザが下操作キーを放したと判定されるまで同様のカーソルスキップを繰り返す。つまり、制御部１１は、ユーザが操作キーを長押ししていると判定した後、カーソルスキップまでの所定時間（ここでは、ガイドゲージが表示されてからガイドゲージが満杯になるまでの時間）を超えてもなおユーザが下操作キーを押下し続けると、カーソル表示を１つずつ下に移動させるのを止め、カーソル表示を予め設定された数（ここでは、５つ）スキップさせ（ステップＳ１１）、ユーザが下操作キーを放したと判定されるまで（ステップＳ１２）、カーソルスキップを繰り返す。また、制御部１１は、ユーザが操作キーを長押ししていると判定した後、カーソルスキップまでの所定時間に応じて、ガイドゲージの表示態様を変化させる。
一方、制御部１１は、ステップＳ１２でユーザが下操作キーを放したと判定すると（Ｙ）、カーソルスキップを止め、ステップＳ１に戻り、再びキー状態Ｃの検出を行う。表示部１５上では、カーソルスキップによりカーソルがメニュー１６を選択した後、ユーザが下操作キーを放したと判定されると、カーソルはメニュー１６を選択したままの状態となり、ガイドゲージは消滅する（図４（ｉ））。
以上説明したように、本発明の画像表示装置によれば、ユーザが操作キーを長押し後操作キーを押下し続けた場合、時間の経過に応じてガイドゲージが増加するものであり、ユーザはカーソルがスキップするまでの時間がどの程度かを知ることができる。また、カーソルをスキップさせたくないユーザは、カーソルがスキップするまでに操作キーを放すタイミングを知ることができ、ユーザは意図する操作を行うことができるようになり、使い勝手が良い。
【００１５】
（実施の形態２）
上記実施の形態１では、カーソルスキップ後ユーザが下操作キーを放すとカーソルはカーソルスキップを止め、ガイドゲージが消滅する形態について説明した。本実施の形態２では、カーソルゲージが表示された後ユーザが下操作キーを放すと、カーソルゲージが減少し始め、カーソルゲージが消滅するまでに再度ユーザが操作キーを押下し、長押し後も操作キーを押下し続けた場合ガイドゲージが増加しカーソルスキップする形態について説明する。
【００１６】
図５は、本発明の画像表示装置１が行う処理の一例を示すフローチャートである。
【００１７】
図６は、表示部１５に表示されるカーソル表示及びガイド画面表示の一例である。
【００１８】
図６（ａ）は、カーソルスキップしている状態（ステップＳ１１）を示している。なおステップＳ１１までは実施の形態１と同様の処理を行うので再度の説明は省略する。ステップＳ１２において、制御部１１は、ユーザが下操作キーを押下し続けていると判定すると（Ｎ）、ステップＳ１１に戻りカーソルスキップを繰り返す。制御部１１は、ユーザがステップＳ１２において下操作キーを放したと判定すると（Ｙ）、操作キー継続押下時のカーソル移動回数Ｎに０をセットする（ステップＳ１３）。続いてガイドゲージのゲージを１つ減少させ（ステップＳ１４）ガイドゲージ数ＭにＭ−１をセットする（ステップＳ１５）。この状態を図６（ｂ）に示す。
続いて制御部１１は、キー状態Ｃの検出を行う（ステップＳ１６）。キー状態Ｃを検出しなければ（Ｎ）、ガイドゲージ数Ｍが０か否かを判定し（ステップＳ１７）、ガイドゲージ数Ｍが０でなければ（Ｎ）、ステップＳ１４に戻り、ステップＳ１６においてキー状態Ｃが検出されない限り、ステップＳ１７においてガイドゲージ数Ｍが０になるまで同じステップを繰り返す。繰り返す様子を図６（ｃ）、（ｄ）、（ｅ）に示す。一方、ステップＳ１６においてキー状態Ｃを検出した場合は（Ｙ）、ステップＳ４に戻る。そして、制御部１１は、カーソル移動を行い（ステップＳ４）、ユーザが下操作キーを放したか否かを判定する（ステップＳ５）。ユーザが下操作キーを放したと判定した場合（Ｙ）、ガイドゲージ数Ｍが０か否かを判定し（ステップＳ１８）、０でなければ（Ｎ）、ステップＳ１３へ進む。ガイドゲージ数Ｍが０であれば（Ｙ）、ステップＳ３へ戻る。
図６の（ｆ）は、図６（ｂ）の状態からステップＳ１５においてカーソルゲージが１つ減少した後、ステップＳ１６において制御部１１がキー状態Ｃを検出し（Ｙ）、カーソル移動した状態を示している（ステップＳ４）。その後もユーザが下操作キーを押下し続け（ステップＳ５）、長押しすると判定されると（ステップＳ７でＹ）、再びガイドゲージは増加し（ステップＳ８）（図６（ｇ）、（ｈ））、ガイドゲージが満杯になるとカーソルスキップを行う（図６（ｉ））。
【００１９】
以上説明したように、本発明の画像表示装置によれば、カーソルスキップ後ユーザが下操作キーを放すとガイドゲージが減少し始め、カーソルゲージが消滅するまでに再度ユーザが長押しすると時間の経過に応じてガイドゲージが増加するものであり、ユーザはカーソルがスキップするまでの時間がどの程度かを知ることができ、カーソルをスキップさせたくない場合にはカーソルがスキップするまでに操作キーを放すタイミングを知ることができ、ユーザは意図する操作を行うことができるようになり、使い勝手が良い。
【００２０】
（実施の形態３）
上記実施の形態１では、カーソルスキップ後もユーザが下操作キーを押下し続けるとカーソルスキップを繰り返す形態について説明した。本実施の形態３では、カーソルスキップ後もユーザが下操作キーを押下し続けた場合、ガイドゲージが減少後増加し、カーソルスキップを行う形態について説明する。
図７は、本発明の画像表示装置１が行う処理の一例を示すフローチャートである。
【００２１】
図８は、表示部１５に表示されるカーソル表示及びガイド画面表示の一例である。
図８（ａ）は、カーソルスキップしている状態を示している（ステップ１１）。カーソルスキップ直後、制御部１１は、ガイドゲージを１つ減少させ（ステップＳ１１‘）、ガイドゲージ数ＭにＭ−１をセットし（ステップ１１“）、ユーザが下操作キーを放したか否かを判定する（ステップＳ１２）。この際の様子を図８（ｂ）に示す。ステップＳ１２において、ユーザが下操作キーを押下し続けた場合（Ｙ）、ステップＳ１０に戻りガイドゲージ数Ｍが４未満であると判定すると、ステップＳ４に戻りカーソルを１つ下に移動させる（ステップＳ４）。ユーザが下操作キーを押下し続けた場合、ユーザが長押しをしていると判定し（ステップＳ７）、ガイドゲージを１つ増加させ（ステップＳ８）、ガイドゲージ数Ｍが４以上であると判定すると（ステップＳ１０）、再びカーソルスキップを行う。この際の様子を図８（ｃ）及び（ｄ）に示す。
以上説明したように、本発明の画像表示装置によれば、カーソルスキップ後もユーザが下操作キーを押下し続けた場合、ガイドゲージが減少後増加し、カーソルスキップを行うものであり、ユーザはカーソルがスキップするまでの時間がどの程度かを知ることができ、カーソルをスキップさせたくない場合にはカーソルがスキップするまでに操作キーを放すタイミングを知ることができ、ユーザは意図する操作を行うことができるようになり、使い勝手が良い。
なお、本実施の形態１〜３では、画像表示装置１がキー操作部２１を具備するリモコン２と別体である構成を例について説明したが、これらは一体の構成であっても良い。
また、画像表示装置１の表示部１５は、画像表示装置１と別体の構成としても良い。
また、ガイド画像は、本実施の形態に記載のガイドゲージに限定されず、色、明るさ、大きさ、形状等の表示態様を変化させても良い。
また、メニューアイコンは、本実施の形態に記載のメニューアイコンに限定されず、複数行・複数列その他の配列表示されたメニューアイコンであっても良い。
また、表示部１５で選択する対象はメニューアイコンに限定されず、デジタルスチルカメラ等で撮影した画像等でも良い。
【産業上の利用可能性】
【００２２】
本発明にかかる画像表示装置、画像表示方法は、ユーザ入力が長押しであると判定した後、時間の経過に応じて表示態様が変化するガイド画像を生成するものであり、画面内に表示された複数の選択対象から所望の対象を選択するための画像表示装置、画像表示方法として有用である。
【図面の簡単な説明】
【００２３】
【図１】本発明の実施の形態１における画像表示装置のブロック図
【図２】本発明の実施の形態１におけるリモコンのキー状を示す図
【図３】本発明の実施の形態１における画像表示装置１が行う処理を示すフローチャート
【図４】本発明の実施の形態１における表示部に表示されるカーソル表示及びガイド画面表示の一例を示す図
【図５】本発明の実施の形態２における画像表示装置が行う処理を示すフローチャート
【図６】本発明の実施の形態２における表示部に表示されるカーソル表示及びガイド画面表示の一例を示す図
【図７】本発明の実施の形態３における画像表示装置が行う処理を示すフローチャート
【図８】本発明の実施の形態３における表示部に表示されるカーソル表示及びガイド画面表示の一例を示す図
【符号の説明】
【００２４】
１    画像表示装置
２    リモコン
１１    制御部
１２    受信部
１３    ガイド画像生成部
１４    カウンタ
１５    表示部
２１    キー操作部
２２    送信部
【図１】
2012108567.tif 000003
【図２】
2012108567.tif 000004
【図３】
2012108567.tif 000005
【図４】
2012108567.tif 000006
【図５】
2012108567.tif 000007
【図６】
2012108567.tif 000008
【図７】
2012108567.tif 000009
【図８】
2012108567.tif 000010